(57)【要約】【課題】滑りを防止すると共に、使用者の脳の緊張を緩和してリラックスさせるようにした歯ブラシを提供する。【解決手段】複数本の毛１４が植設された植毛面１０ａ１を有するヘッド部１０ａと、ヘッド部１０ａに連続して形成される把持部１０ｃとを少なくとも備えた歯ブラシ１０において、把持部１０ｃの植毛面１０ａ１に近接する部位１０ｃ１とその裏側１０ｃ２に複数の突起１６ａを長手方向に一列に形成し、よって使用者が把持部１０ｃを把持したとき、複数の突起１６ａのいずれかの間にその指先を位置させる。【選択図】図２
2010213985.tif 000002
【特許請求の範囲】
【請求項１】
複数本の毛が植設された植毛面を有するヘッド部と、前記ヘッド部に連続して形成される把持部とを少なくとも備えた歯ブラシにおいて、前記把持部の前記植毛面に近接する部位とその裏側に複数の突起を長手方向に一列に形成し、よって使用者が前記把持部を把持したとき、前記複数の突起のいずれかの間にその指先を位置させるようにしたことを特徴とする歯ブラシ。
【請求項２】
前記把持部において前記一列に形成された複数の突起から離間した位置にさらに少なくとも１個の突起を形成したことを特徴とする請求項１記載の歯ブラシ。
【発明の詳細な説明】
【技術分野】
【０００１】
この発明は歯ブラシに関し、より詳しくは歯磨きと歯肉のマッサージをする歯ブラシ（両用歯ブラシ）に関する。
【背景技術】
【０００２】
従来、複数本の毛が植設されるヘッド部とそれに連続して形成される把持部とを備えると共に、把持部の形状を工夫して滑りなどを防止するようにした歯ブラシが種々提案されており、その一例として特許文献１記載の技術を挙げることができる。
【０００３】
特許文献１記載の技術にあっては、把持部が硬質樹脂材料からなる芯材部と、芯材部の周面に被着された軟質樹脂材料からなる被覆部とを具備してなり、被覆部の表面の摩擦係数が１．０以上となるように構成することで、滑り防止やフィット性を向上させるようにしている。
【先行技術文献】
【特許文献】
【０００４】
【特許文献１】特開２００６−０００２０２号公報
【発明の概要】
【発明が解決しようとする課題】
【０００５】
ところで、人は起床して直ぐなど体がほぐれていないときに何かをしようとすると、習性として脳に緊張を伴うものであり、歯を磨くときも同様に、緊張が生じる。そのため、使用者の脳の緊張を緩和してリラックスさせるような歯ブラシが望まれているが、上記した特許文献１記載の技術は緊張の緩和などについて何等対策するものではなかった。
【０００６】
従って、この発明の目的は上記した課題を解決し、滑りを防止すると共に、使用者の脳の緊張を緩和してリラックスさせるようにした歯ブラシを提供することにある。
【課題を解決するための手段】
【０００７】
上記の目的を解決するために、請求項１にあっては、複数本の毛が植設された植毛面を有するヘッド部と、前記ヘッド部に連続して形成される把持部とを少なくとも備えた歯ブラシにおいて、前記把持部の前記植毛面に近接する部位とその裏側に複数の突起を長手方向に一列に形成し、よって使用者が前記把持部を把持したとき、前記複数の突起のいずれかの間にその指先を位置させるように構成した。
【０００８】
請求項２に係る歯ブラシにあっては、前記把持部において前記一列に形成された複数の突起から離間した位置にさらに少なくとも１個の突起を形成するように構成した。
【発明の効果】
【０００９】
請求項１に係る歯ブラシにあっては、把持部の植毛面に近接する部位とその裏側に複数の突起を長手方向に一列に形成し、よって使用者が把持部を把持したとき、複数の突起のいずれかの間にその指先を位置させるように構成、即ち、突起（具体的には、一列の突起の頭頂部（先端部））に使用者の指先が接触するように構成したので、反射的に安定感や安全、安心感が瞬時に脳神経に伝わり、脳の緊張を緩和してリラックスさせることができる。さらに、使用者はリラックスすることで自然に手の力が抜けるため、ヘッド部や毛などから歯肉に加わる無理な圧力が緩和され、歯肉などが傷つけられることもない。
【００１０】
また、歯ブラシの握り方として把持部を手の平全体で掴む「パームグリップ式」や、鉛筆の握り方のように親指と人差し指と中指で持つ「ペングリップ式」などあるが、いずれの握り方であっても、突起に指先が接触するため、前述した効果を得ることができる。
【００１１】
また、複数の突起のいずれかの間に使用者の指先を位置させるように構成したので、使用者は複数の突起の間に指先を引っ掛けた状態で歯を磨くことが可能となる。さらに、把持部の植毛面に近接する部位とその裏側に複数の突起を形成するように構成したので、把持部において突起を除く部位、具体的には、把持部の末端側の部位は突起のない平坦部となり、よって使用者が把持部を把持したとき、その平坦部に使用者の手の平を位置させて密着させることができる。従って、使用者は指先を複数の突起の間に指先を引っ掛けると共に、手の平を平坦部に密着させつつ歯を磨くことができ、よって歯磨き時の滑りを効果的に防止することができる。
【００１２】
また、使用者は、複数の突起のいずれかの間に指先を引っ掛けた状態で歯ブラシの毛の部分を歯肉に当てて軽く口を結び、優しく小刻みに左右に動かすことで、安定した歯肉のマッサージをすることができる。このように、歯ブラシを、歯磨きと歯肉のマッサージの二役をバランス良く行うことができる、両用歯ブラシとして使用することができる。
【００１３】
また、歯磨きを行っている際、歯磨き粉の泡がヘッド部から把持部付近まで伝わることがあるが、その場合であっても、泡は複数個の突起によって堰き止められるため、泡が使用者の手に付着することはなく、よって滑りをより一層防止できると共に、把持したときの感触が良くなり、握り易くすることができる。
【００１４】
さらに、上記のように構成することで、使用者は自然に手の力が抜けて把持部を軽く握ることができるため、舌の掃除を、舌の表面などを傷つけることなく安全に優しく行うことができ、それによって風邪やインフルエンザ予防の一助とすることができる。
【００１５】
請求項２に係る歯ブラシにあっては、把持部において一列に形成された複数の突起から離間した位置、即ち、把持部の末端側にさらに少なくとも１個の突起を形成するように構成したので、上記した効果に加え、使用者は前記離間した位置に形成される突起に指先を掛けることで、より軽い力で歯磨きあるいは歯肉のマッサージをすることができ、歯肉などを傷つけることもない。
【図面の簡単な説明】
【００１６】
【図１】この発明の実施例に係る歯ブラシを示す平面図である。
【図２】図１に示す歯ブラシの側面図である。
【図３】図１に示す歯ブラシの背面図である。
【発明を実施するための形態】
【００１７】
以下、添付図面に即してこの発明に係る歯ブラシを実施するための形態について説明する。
【実施例】
【００１８】
図１はこの発明の実施例に係る歯ブラシを示す平面図である。また、図２は図１に示す歯ブラシの側面図であり、図３は図１に示す歯ブラシの背面図である。
【００１９】
図１から図３において、符号１０は歯ブラシを示す。歯ブラシ１０は、ヘッド部１０ａと、ヘッド部１０ａに連続して形成される首部１０ｂと、ヘッド部１０ａに首部１０ｂを介して連続して形成され、使用者Ｐ（図２において使用者Ｐの指先付近のみを想像線で示す）によって把持される（握られる）把持部１０ｃとを備える。
【００２０】
歯ブラシ１０を構成する、ヘッド部１０ａ、首部１０ｂおよび把持部１０ｃは一体的に形成されると共に、飽和ポリエステル樹脂材（耐熱温度：６０℃）から製作される。歯ブラシ１０は、長手方向の全体の長さが約１８０ｍｍに設定され、成人（大人）用として使用される。尚、この明細書において、「長手方向」とは図１に符号Ａで示す方向を意味する。また、図１に符号Ｂで示す方向を「幅方向」といい、図２に符号Ｃで示す方向を「高さ方向」という。
【００２１】
ヘッド部１０ａは略平板形状を呈すると共に、その一面には、図１，２に良く示すように、適宜な深さの植毛穴１２が複数個（例えば２７個）穿設される。植毛穴１２にはそれぞれ、複数本の毛（刷毛体）１４を束ねた毛束が植設される。尚、図１などにおいては簡略化のため、毛束を一本の毛のようにして示すが、実際は複数本の毛１４を集合させたものであり、ヘッド部１０ａに植設される毛１４の総本数は例えば約５００〜１０００本である。
【００２２】
毛１４は、例えば飽和ポリエステル樹脂材（ポリブチレンテレフタレート）から製作され、その耐熱温度は６０℃である。以下、ヘッド部１０ａにおいて、複数本の毛１４が植設された植毛穴１２を有する面を「植毛面」といい、符号１０ａ１で示す。
【００２３】
首部１０ｂは、ヘッド部１０ａと同様、略平板形状である共に、平面視略台形状を呈するように形成される。具体的には、首部１０ｂにおいて、ヘッド部１０ａに近接する部位の幅はヘッド部１０ａのそれに比して短くされ、ヘッド部１０ａから離間するにつれて徐々に拡大されて幅広となるように設定される。
【００２４】
把持部１０ｃは、ヘッド部１０ａや首部１０ｂと同様、略平板形状を呈するように形成される。図示の如く、把持部１０ｃの植毛面１０ａ１に近接する部位（詳しくは、把持部１０ｃの表側であって、把持部１０ｃを二等分したときに植毛面１０ａ１側に位置する部位。以下、「表側」ともいう）１０ｃ１とその裏側１０ｃ２にはそれぞれ、複数の突起１６ａ、具体的には３個の突起１６ａが長手方向に一列に形成される。
【００２５】
より具体的に説明すると、把持部１０ｃの表側１０ｃ１と裏側１０ｃ２の幅方向における中心（中央）部分であって、首部１０ｂとの境界線１０ｂｃから約１０ｍｍ離間した位置に、３個の突起１６ａが長手方向に一列に一体的に形成される。それら３個の突起１６ａは、隣接する突起同士の距離（間隙。図２に符号ｌａで示す）が約７ｍｍの等間隔となるように配置される。
【００２６】
突起１６ａは略円柱状を呈すると共に、その先端部（頭頂部）が丸みを帯びるように形成され、詳しくは底面の直径ｄが約５ｍｍ、高さｈが約１．８ｍｍに設定される。また、図２などから分かるように、表面１０ｃ１の突起１６ａと裏面１０ｃ２の突起１６ａは、表裏対称（同一形状）とされる。このように構成することで、図２に示す如く、使用者Ｐが把持部１０ｃを把持したとき、その指先は複数の突起１６ａのいずれかの間に位置させられることとなる。
【００２７】
把持部１０ｃにおいて一列に形成された複数の突起１６ａから離間した位置、正確には、複数の突起１６ａの内、植毛面１０ａ１から最も離れて形成される突起１６ａ１から所定距離ｌｂ（例えば４４ｍｍ）離間した位置には、さらに突起１６ｂが表裏面に１個ずつ形成される。尚、この突起１６ｂの形状や寸法は上記した突起１６ａと同様である。また、把持部１０ｃにおいて突起１６ｂから末端部１０ｃ３までの距離ｌｃは約２０ｍｍとされる。
【００２８】
把持部１０ｃにおいて突起１６ｂから末端部１０ｃ３までの間には、裏面側に向けて湾曲させられて側面視略Ｊ字状を呈する湾曲部２０が形成される。湾曲部２０の末端側、即ち、前記した末端部１０ｃ３は、丸みを帯びるように形成される。
【００２９】
上記したように、把持部１０ｃの植毛面１０ａ１に近接する部位１０ｃ１とその裏側１０ｃ２に複数の突起１６ａを形成すると共に、複数の突起１６ａから離間した位置に突起１６ｂを形成したので、把持部１０ｃにおいて複数の突起１６ａと突起１６ｂを除く部位、即ち、突起１６ａと突起１６ｂの間の部位は、突起のない平坦部１０ｃ４となる。このように構成することで、使用者Ｐが把持部１０ｃを把持したとき、その手の平は平坦部１０ｃ３に位置させられて密着させられる。
【００３０】
以上の如く、この発明の実施例にあっては、複数本の毛１４が植設された植毛面１０ａ１を有するヘッド部１０ａと、前記ヘッド部１０ａに連続して形成される把持部１０ｃとを少なくとも備えた歯ブラシ１０において、前記把持部１０ｃの前記植毛面１０ａ１に近接する部位１０ｃ１とその裏側１０ｃ２に複数の突起１６ａを長手方向に一列に形成し、よって使用者Ｐが前記把持部１０ｃを把持したとき、前記複数の突起１６ａのいずれかの間にその指先を位置させるように構成、即ち、突起１６ａ（具体的には、一列の突起１６ａの頭頂部（先端部））に使用者Ｐの指先が接触するように構成したので、反射的に安定感や安全、安心感が瞬時に脳神経に伝わり、脳の緊張を緩和してリラックスさせることができる。さらに、使用者Ｐはリラックスすることで自然に手の力が抜けるため、ヘッド部１０ａや毛などから歯肉に加わる無理な圧力が緩和され、歯肉などが傷つけられることもない。
【００３１】
また、歯ブラシ１０の握り方として把持部１０ｃを手の平全体で掴む「パームグリップ式」や、図２に示す如く、鉛筆の握り方のように親指と人差し指と中指で持つ「ペングリップ式」などあるが、いずれの握り方であっても、突起１６ａに指先が接触するため、前述した効果を得ることができる。
【００３２】
また、複数の突起１６ａのいずれかの間に使用者Ｐの指先を位置させるように構成したので、使用者Ｐは複数の突起１６ａの間に指先を引っ掛けた状態で歯を磨くことが可能となる。さらに、把持部１０ｃの植毛面１０ａ１に近接する部位１０ｃ１とその裏側１０ｃ２に複数の突起１６ａを形成するように構成したので、把持部１０ｃにおいて突起１６ａを除く部位、具体的には、把持部１０ｃの末端側の部位は突起のない平坦部１０ｃ４となり、よって使用者Ｐが把持部１０ｃを把持したとき、その平坦部１０ｃ４に使用者Ｐの手の平を位置させて密着させることができる。従って、使用者Ｐは指先を複数の突起１６ａの間に指先を引っ掛けると共に、手の平を平坦部１０ｃ４に密着させつつ歯を磨くことができ、よって滑りを効果的に防止することができる。
【００３３】
また、使用者Ｐは、複数の突起１６ａのいずれかの間に指先を引っ掛けた状態で歯ブラシ１０の毛１４の部分を歯肉に当てて軽く口を結び、優しく小刻みに左右に動かすことで、安定した歯肉のマッサージをすることができる。このように、歯ブラシ１０を、歯磨きと歯肉のマッサージの二役をバランス良く行うことができる、両用歯ブラシとして使用することができる。
【００３４】
また、歯磨きを行っている際、歯磨き粉の泡がヘッド部１０ａから把持部１０ｃ付近まで伝わることがあるが、その場合であっても、泡は複数個の突起１６ａによって堰き止められるため、泡が使用者Ｐの手に付着することはなく、よって滑りをより一層防止できると共に、把持したときの感触が良くなり、握り易くすることができる。
【００３５】
さらに、上記のように構成することで、使用者Ｐは自然に手の力が抜けて把持部１０ｃを軽く握ることができるため、舌の掃除を、舌の表面などを傷つけることなく安全に優しく行うことができ、それによって風邪やインフルエンザ予防の一助とすることができる。
【００３６】
また、把持部１０ｃにおいて一列に形成された複数の突起１６ａから離間した位置、即ち、把持部１０ｃの末端側にさらに少なくとも１個の突起１６ｂを形成するように構成したので、使用者Ｐは突起１６ｂに指先を掛けることで、より軽い力で歯磨きあるいは歯肉のマッサージをすることができ、歯肉などを傷つけることもない。
【００３７】
また、把持部１０ｃにおいて突起１６ｂから末端部１０ｃ３までの間に、湾曲部２０を形成すると共に、その末端部１０ｃ３を丸みを帯びるように形成したので、例えば歯磨きが終わった後、湾曲部２０の末端部１０ｃ３を使用者Ｐの頬などに当てて顔のマッサージをすることができる。そのマッサージによる優しい刺激によって血行を良くし、筋肉の引き締まりなどの効果も期待することができる。
【００３８】
尚、上記において、把持部１０ｃや突起１６、毛１４などの材質は例示であり、それに限定されるものではない。また、突起１６の高さや突起１６同士の間隔なども具体的な値で示したが、それらは例示であって限定されるものではない。従って、それらの値を縮小すれば、本願構成を子供用の歯ブラシなどにも適用することが可能となり、子供から成人まで歯磨きをスムーズに行うことができる。
【符号の説明】
【００３９】
１０  歯ブラシ、１０ａ  ヘッド部、１０ａ１  植毛面、１０ｃ  把持部、１０ｃ１  （植毛面に近接する）部位、１０ｃ２  裏側、１４  毛、１６ａ，１６ｂ  突起、Ｐ  使用者
【図１】
2010213985.tif 000003
【図２】
2010213985.tif 000004
【図３】
2010213985.tif 000005